(57)【要約】  空気調和機の室内機（１）は、筐体（２）と、筐体（２）の内部に位置し、空気を移動させるファン（９）と、温度を検出する温度検出装置（７）と、筐体（２）の内部に位置し、温度検出装置（７）の位置を制御する制御部（１７）とを有する。制御部（１７）は、ファン（９）が動作している場合、温度検出装置（７）を筐体（２）の内部に位置させる。制御部（１７）は、ファン（９）が停止している場合、ファン（９）が停止しているときに温度検出装置（７）を筐体（２）の外部に位置させる規則が設定されているとき、温度検出装置（７）を筐体（２）の外部に位置させ、上記の規則が設定されていないとき、温度検出装置（７）を筐体（２）の内部に位置させる。
2020188708.tif 000002
【特許請求の範囲】
【請求項１】
筐体と、
前記筐体の内部に位置し、空気を移動させるファンと、
温度を検出する温度検出装置と、
前記筐体の内部に位置し、前記温度検出装置の位置を制御する制御部とを備え、
前記制御部は、（１）前記ファンが動作している場合、前記温度検出装置を前記筐体の内部に位置させ、（２）前記ファンが停止している場合、前記ファンが停止しているときに前記温度検出装置を前記筐体の外部に位置させる規則が設定されているとき、前記温度検出装置を前記筐体の外部に位置させ、（３）前記ファンが停止している場合、前記規則が設定されていないとき、前記温度検出装置を前記筐体の内部に位置させる
空気調和機の室内機。
【請求項２】
空気を移動させるファンと、
空気と冷媒との間で熱交換を行わせるための熱交換器と、
温度を検出する温度検出装置と、
輻射熱の伝達を抑制する遮蔽部材と、
前記遮蔽部材の位置を制御する制御部とを備え、
前記温度検出装置は、前記遮蔽部材が前記熱交換器と前記温度検出装置との間に位置していなければ前記熱交換器の輻射熱の影響を受ける場所に位置しており、
前記制御部は、前記ファンが停止している場合に前記熱交換器と前記温度検出装置との間に前記遮蔽部材を位置させる
空気調和機の室内機。
【発明の詳細な説明】
【技術分野】
【０００１】
本発明は、空気調和を行う空気調和機の室内機に関する。
【背景技術】
【０００２】
従来、ファンの動作の停止中に室温を検出して空気調和の制御を行う空気調和機が提案されている。例えば、夏期において空気調和機の室内機が設置されている部屋に遠隔操作機器の操作が苦手な高齢者又は子供だけが居て、空気調和機の運転の停止中に当該部屋の温度が健康に影響を及ぼしかねない高温である場合、熱中症対策で、室温を検出して冷房運転を行う空気調和機が提案されている。また、室内機と、室外機と、室内機及び室外機の運転を制御するリモートコントローラとを有していて、リモートコントローラが温度を測定する測温部を含む空気調和機も提案されている（例えば、特許文献１参照）。
【先行技術文献】
【特許文献】
【０００３】
【特許文献１】特開２０１３−９６６６８号公報
【発明の概要】
【発明が解決しようとする課題】
【０００４】
空気調和機の室内機が設置されている部屋の温度を検出するために室内機が温度検出装置を有する場合、温度検出装置は熱交換器の輻射熱の影響を受ける場所に配置されることがある。その場合、夏期において空気調和機の運転が停止してファンの動作が停止すると、熱交換器の温度は比較的高温になるので、温度検出装置は熱交換器の輻射熱の影響を受けることにより、正確に部屋の温度を検出することができない。そのため、空気調和機は熱中症対策で冷房運転を適切に行うことができない。【０００５】
本発明は、上記に鑑みてなされたものであって、ファンの動作が停止しても比較的高い精度で温度を検出する空気調和機の室内機を得ることを目的とする。
【課題を解決するための手段】
【０００６】
上述した課題を解決し、目的を達成するために、本発明に係る空気調和機の室内機は、筐体と、筐体の内部に位置し、空気を移動させるファンと、温度を検出する温度検出装置と、筐体の内部に位置し、温度検出装置の位置を制御する制御部とを有する。制御部は、（１）ファンが動作している場合、温度検出装置を筐体の内部に位置させ、（２）ファンが停止している場合、ファンが停止しているときに温度検出装置を筐体の外部に位置させる規則が設定されているとき、温度検出装置を筐体の外部に位置させ、（３）ファンが停止している場合、上記の規則が設定されていないとき、温度検出装置を筐体の内部に位置させる。
【発明の効果】
【０００７】
本発明に係る空気調和機の室内機は、ファンの動作が停止しても比較的高い精度で温度を検出することができる。
【図面の簡単な説明】
【０００８】
【図１】実施の形態１に係る空気調和機の室内機の外観を模式的に示す第１の図
【図２】実施の形態１に係る空気調和機の室内機の外観を模式的に示す第２の図
【図３】実施の形態１に係る空気調和機の室内機の断面を模式的に示す図
【図４】実施の形態１に係る空気調和機の室内機が有する温度検出装置が筐体の内部に位置している状態から筐体の外部に飛び出る動作を説明するための図
【図５】実施の形態１に係る空気調和機の室内機が有する温度検出装置が筐体の外部に位置している状態から筐体の内部に収納される動作を説明するための図
【図６】実施の形態１に係る空気調和機の室内機が有する基板の構成を示す図
【図７】実施の形態１に係る空気調和機の室内機が有する制御部が行う温度検出装置の位置を制御する動作の手順を示す第１のフローチャート
【図８】実施の形態１に係る空気調和機の室内機が有する制御部が行う温度検出装置の位置を制御する動作の手順を示す第２のフローチャート
【図９】実施の形態１に係る空気調和機の室内機が有する制御部が行う温度検出装置の位置を制御する動作の手順を示す第３のフローチャート
【図１０】実施の形態１に係る空気調和機の室内機が有する制御部が行う温度検出装置の位置を制御する動作の手順を示す第４のフローチャート
【図１１】実施の形態１に係る空気調和機の室内機が有する制御部が行う特殊運転のモードに関連する動作の手順を示すフローチャート
【図１２】実施の形態２に係る空気調和機の室内機が有する基板の構成を示す図
【図１３】実施の形態２に係る空気調和機の室内機が有する温度検出装置、熱交換器及び遮蔽部材の各々の位置を説明するための第１の図
【図１４】実施の形態２に係る空気調和機の室内機が有する温度検出装置、熱交換器及び遮蔽部材の各々の位置を説明するための第２の図
【図１５】実施の形態２に係る空気調和機の室内機が有する温度検出装置及び遮蔽部材の各々の位置の詳細を説明するための第１の図
【図１６】実施の形態２に係る空気調和機の室内機が有する温度検出装置及び遮蔽部材の各々の位置の詳細を説明するための第２の図
【図１７】実施の形態２に係る空気調和機の室内機が有する制御部が行う遮蔽部材の位置を制御する動作の手順を示す第１のフローチャート
【図１８】実施の形態２に係る空気調和機の室内機が有する制御部が行う遮蔽部材の位置を制御する動作の手順を示す第２のフローチャート
【図１９】実施の形態２に係る空気調和機の室内機が有する制御部が行う遮蔽部材の位置を制御する動作の手順を示す第３のフローチャート
【図２０】実施の形態２に係る空気調和機の室内機が有する制御部が行う遮蔽部材の位置を制御する動作の手順を示す第４のフローチャート
【図２１】実施の形態１に係る空気調和機の室内機が有する受信部、温度検出装置、ファン駆動部、温度検出装置駆動部、風向制御板駆動部及び制御部の少なくとも一部の機能がプロセッサによって実現される場合のプロセッサを示す図
【図２２】実施の形態１に係る空気調和機の室内機が有する受信部、温度検出装置、ファン駆動部、温度検出装置駆動部、風向制御板駆動部及び制御部の少なくとも一部が処理回路によって実現される場合の処理回路を示す図
【発明を実施するための形態】
【０００９】
以下に、本発明の実施の形態に係る空気調和機の室内機を図面に基づいて詳細に説明する。なお、この実施の形態によりこの発明が限定されるものではない。
【００１０】
実施の形態１．
図１は、実施の形態１に係る空気調和機の室内機１の外観を模式的に示す第１の図である。本願では、空気調和機の室内機を「室内機」と記載する場合がある。室内機１は、筐体２と、空気調和についてユーザによって操作される遠隔操作機器から情報を受信する受信部３とを有する。遠隔操作機器は、図１に示されていない。
【００１１】
室内機１には、空気の吸い込み口と、空気の吹き出し口４とが設けられている。吸い込み口は、図１に示されていない。吸い込み口は、図２に示されている。室内機１は、吹き出し口４から吹き出される空気の上下方向の向きを制御するための上下風向制御板５と、吹き出し口４から吹き出される空気の左右方向の向きを制御するための左右風向制御板６とを更に有する。室内機１は、温度を検出する温度検出装置７を更に有する。温度検出装置７は、室内機１が設置される部屋の温度を検出する。
【００１２】
図２は、実施の形態１に係る空気調和機の室内機１の外観を模式的に示す第２の図である。図２に示す通り、室内機１には、空気の吸い込み口８が設けられている。
【００１３】
図３は、実施の形態１に係る空気調和機の室内機１の断面を模式的に示す図である。図３は、図２のＩＩＩ−ＩＩＩ線の断面図である。室内機１は、空気を移動させるファン９と、空気と冷媒との間で熱交換を行わせるための熱交換器１０とを更に有する。ファン９及び熱交換器１０は、筐体２の内部に位置している。ファン９は、筐体２の外部の空気を吸い込み口８から筐体２の内部に移動させると共に、筐体２の内部の空気を吹き出し口４から筐体２の外部に移動させる。熱交換器１０は、筐体２の外部から筐体２の内部に移動した空気と冷媒との間で熱交換を行わせる。説明の便宜上、図３には、ハッチングが加えられていない構成要素が含まれている。
【００１４】
室内機１は、温度検出装置７の位置を制御する制御部を更に有する。制御部は、図６に示されている。制御部は、筐体２の内部に位置している。温度検出装置７は、筐体２の内部に位置することも、筐体２の外部に位置することもできる。
【００１５】
図４は、実施の形態１に係る空気調和機の室内機１が有する温度検出装置７が筐体２の内部に位置している状態から筐体２の外部に飛び出る動作を説明するための図である。図４（Ａ）は、温度検出装置７が筐体２の内部に位置している状態を模式的に示している。図４（Ｂ）は、温度検出装置７が筐体２の内部から筐体２の外部に飛び出ようとしている状態を模式的に示している。図４（Ｂ）の矢印は、温度検出装置７が筐体２の内部から筐体２の外部に飛び出ようとしている状態を示している。図４（Ｃ）は、温度検出装置７が筐体２の外部に飛び出た状態を模式的に示している。
【００１６】
図５は、実施の形態１に係る空気調和機の室内機１が有する温度検出装置７が筐体２の外部に位置している状態から筐体２の内部に収納される動作を説明するための図である。図５（Ａ）は、温度検出装置７が筐体２の外部に位置する状態を模式的に示している。図５（Ａ）は、図４（Ｃ）と同じである。図５（Ｂ）は、温度検出装置７が筐体２の外部から筐体２の内部に収納されようとしている状態を模式的に示している。図５（Ｂ）の矢印は、温度検出装置７が筐体２の外部から筐体２の内部に収納されようとしている状態を示している。図５（Ｃ）は、温度検出装置７が筐体２の内部に収納された状態を模式的に示している。図５（Ｃ）は、図４（Ａ）と同じである。
【００１７】
図６は、実施の形態１に係る空気調和機の室内機１が有する基板１１の構成を示す図である。基板１１は、室内機１が有する構成要素を制御するためのものであって、筐体２の内部に位置する。基板１１は、ファン９を駆動するファン駆動部１２と、温度検出装置７を駆動する温度検出装置駆動部１３と、上下風向制御板５及び左右風向制御板６を駆動する風向制御板駆動部１４とを更に有する。温度検出装置駆動部１３は、温度検出装置７の位置を変化させるためのモータを有する。室内機１は、ファン駆動部１２、温度検出装置駆動部１３及び風向制御板駆動部１４を制御する制御装置１５を更に有する。
【００１８】
基板１１は、ユーザが遠隔操作機器に対して行った操作に対応する情報を遠隔操作機器から受信する受信部３を有する。遠隔操作機器は、図６には示されていない。受信部３は、空気調和についての情報を受信する。空気調和についての情報の例は、冷房運転のモードを示す情報、暖房運転のモードを示す情報、運転の開始を示す情報、運転の停止を示す情報、設定温度を示す情報、及び、あらかじめ決められた特殊運転のモードの設定を示す情報である。特殊運転のモードは、ファン９が停止しているときに温度検出装置７を筐体２の外部に位置させる動作を示す。例えば、受信部３は、室内機１の運転が停止している場合に特殊運転のモードを示す情報を受信する。
【００１９】
制御装置１５は、受信部３が受信した情報を記憶する操作情報記憶部１６を有する。つまり、操作情報記憶部１６は、ユーザが遠隔操作機器に対して行った操作に対応する情報を記憶する。操作情報記憶部１６の例は、半導体メモリである。
【００２０】
制御装置１５は、ファン駆動部１２、温度検出装置駆動部１３及び風向制御板駆動部１４を制御する制御部１７を更に有する。ファン駆動部１２、温度検出装置駆動部１３及び風向制御板駆動部１４の各々は、制御部１７が行う制御によって動作する。制御部１７は、操作情報記憶部１６に記憶されている情報と、温度検出装置７が検出した温度とをもとに室内機１が行う空気調和を制御する。
【００２１】
つまり、制御部１７は、ファン駆動部１２を制御してファン９を駆動させる。ファン９が回転することによって筐体２の外部の空気は吸い込み口８から筐体２の内部に流入し、筐体２の内部に流入した空気は、熱交換器１０によって暖められ又は冷やされて、吹き出し口４から室内機１が設置されている部屋に送られる。制御部１７は、風向制御板駆動部１４を制御し、それにより上下風向制御板５及び左右風向制御板６の各々の位置を制御する。これにより、室内機１は、暖められた空気又は冷やされた空気をユーザが所望する向きに吹き出す。
【００２２】
制御装置１５は、温度検出装置７を筐体２の内部に位置する状態から筐体２の外部に位置する状態に変化させるための温度検出装置駆動部１３が有するモータの回転数を示す情報を記憶する駆動ステップ数記憶部１８を更に有する。以下では、温度検出装置７を筐体２の内部に位置する状態から筐体２の外部に位置する状態に変化させるためのモータの回転数は、「駆動ステップ数」と記載される場合がある。駆動ステップ数は、温度検出装置７を筐体２の外部に位置する状態から筐体２の内部に位置する状態に変化させるための温度検出装置駆動部１３が有するモータの回転数でもある。駆動ステップ数記憶部１８の例は、半導体メモリである。以下では、モータの回転数は、「ステップ数」と記載される。
【００２３】
温度検出装置７が筐体２の内部に位置する状態は、図４（Ａ）に示す温度検出装置７が筐体２の内部に収納されている状態である。温度検出装置７が筐体２の外部に位置する状態は、図５（Ａ）に示す温度検出装置７が筐体２の外部に飛び出ている状態である。つまり、駆動ステップ数は、温度検出装置７を筐体２の内部に収納された状態から筐体２の外部に飛び出た状態に変化させるために必要な温度検出装置７の移動量に対応する。駆動ステップ数は、温度検出装置７を筐体２の外部に飛び出た状態から筐体２の内部に収納された状態に変化させるために必要な温度検出装置７の移動量にも対応する。
【００２４】
制御部１７は、ファン９が動作している場合、温度検出装置７を筐体２の内部に位置させる。制御部１７は、ファン９が停止している場合、ファン９が停止しているときに温度検出装置７を筐体２の外部に位置させる規則が設定されているとき、温度検出装置７を筐体２の外部に位置させる。制御部１７は、ファン９が停止している場合、上記の規則が設定されていないとき、温度検出装置７を筐体２の内部に位置させる。
【００２５】
次に、制御部１７が温度検出装置７の位置を制御する動作を説明する。図７は、実施の形態１に係る空気調和機の室内機１が有する制御部１７が行う温度検出装置７の位置を制御する動作の手順を示す第１のフローチャートである。図７のフローチャートは、電源が室内機１に供給された際の制御部１７の動作の手順を示している。制御部１７は、電源が室内機１に供給された際に温度検出装置７が筐体２の内部に位置しているか外部に位置しているかを認識していない。
【００２６】
電源の室内機１への供給が開始された状態である初期状態において、温度検出装置７を筐体２の内部に位置させるために、制御部１７は温度検出装置７を筐体２の内部に収納させる動作である収納動作の制御を行う（Ｓ１）。具体的には、ステップＳ１において、制御部１７は、温度検出装置駆動部１３が有するモータをあらかじめ決められたステップ数回転させる。
【００２７】
制御部１７は、温度検出装置７を筐体２の内部に収納させるためのステップ数である収納ステップ数に対応する量の温度検出装置７の移動が完了したか否かを判断する（Ｓ２）。収納ステップ数は、上記の駆動ステップ数と同じである。制御部１７は、収納ステップ数に対応する量の温度検出装置７の移動が完了していないと判断した場合（Ｓ２でＮｏ）、ステップＳ１の動作を行う。制御部１７は、収納ステップ数に対応する量の温度検出装置７の移動が完了したと判断した場合（Ｓ２でＹｅｓ）、初期状態における温度検出装置７の位置を制御する動作を終了する。
【００２８】
図８は、実施の形態１に係る空気調和機の室内機１が有する制御部１７が行う温度検出装置７の位置を制御する動作の手順を示す第２のフローチャートである。電源の室内機１への供給が開始された後、制御部１７は、ファン９が運転しているか否かを判断する（Ｓ１１）。制御部１７は、ファン９が停止していると判断した場合（Ｓ１１でＮｏ）、特殊運転のモードが設定されているか否かを判断する（Ｓ１２）。
【００２９】
制御部１７は、特殊運転のモードが設定されていると判断した場合（Ｓ１２でＹｅｓ）、温度検出装置７が筐体２に収納されているか否かを判断する（Ｓ１３）。制御部１７は、温度検出装置７が筐体２に収納されていると判断した場合（Ｓ１３でＹｅｓ）、温度検出装置７を筐体２から飛び出させるために、温度検出装置７を筐体２から飛び出させるための飛出動作開始フラグを成立させる（Ｓ１４）。制御部１７は、飛出動作開始フラグを成立させると、図９のフローチャートに示す動作を行う。
【００３０】
制御部１７は、温度検出装置７が筐体２から飛び出ていると判断した場合（Ｓ１３でＮｏ）、温度検出装置７の位置を現状の通りに維持させる制御を行う（Ｓ１５）。制御部１７は、ファン９が運転していると判断した場合（Ｓ１１でＹｅｓ）、温度検出装置７が筐体２に収納されているか否かを判断する（Ｓ１６）。制御部１７は、温度検出装置７が筐体２に収納されていると判断した場合（Ｓ１６でＹｅｓ）、温度検出装置７の位置を現状の通りに維持させる制御を行う（Ｓ１５）。
【００３１】
制御部１７は、温度検出装置７が筐体２から飛び出ていると判断した場合（Ｓ１６でＮｏ）、温度検出装置７を筐体２に収納させるために、温度検出装置７を筐体２に収納させるための収納動作開始フラグを成立させる（Ｓ１７）。制御部１７は、収納動作開始フラグを成立させると、図１０のフローチャートに示す動作を行う。
【００３２】
制御部１７は、特殊運転のモードが設定されていないと判断した場合（Ｓ１２でＮｏ）、ステップＳ１６の動作を行う。
【００３３】
図９は、実施の形態１に係る空気調和機の室内機１が有する制御部１７が行う温度検出装置７の位置を制御する動作の手順を示す第３のフローチャートである。図９のフローチャートは、筐体２に収納されている温度検出装置７を筐体２から飛び出させる際に制御部１７が行う動作の手順を示している。制御部１７は、温度検出装置７を筐体２から飛び出させる動作である飛出動作の制御を行う（Ｓ２１）。具体的には、ステップＳ２１において、制御部１７は、温度検出装置駆動部１３が有するモータをあらかじめ決められたステップ数回転させる。
【００３４】
制御部１７は、温度検出装置７を筐体２から飛び出させるためのステップ数である飛出ステップ数に対応する量の温度検出装置７の移動が完了したか否かを判断する（Ｓ２２）。飛出ステップ数は、上記の駆動ステップ数と同じである。制御部１７は、飛出ステップ数に対応する量の温度検出装置７の移動が完了していないと判断した場合（Ｓ２２でＮｏ）、ステップＳ２１の動作を行う。制御部１７は、飛出ステップ数に対応する量の温度検出装置７の移動が完了したと判断した場合（Ｓ２２でＹｅｓ）、筐体２に収納されている温度検出装置７を筐体２から飛び出させる動作を終了する。
【００３５】
図１０は、実施の形態１に係る空気調和機の室内機１が有する制御部１７が行う温度検出装置７の位置を制御する動作の手順を示す第４のフローチャートである。図１０のフローチャートは、筐体２から飛び出ている温度検出装置７を筐体２に収納させる際に制御部１７が行う動作の手順を示している。制御部１７は、温度検出装置７を筐体２に収納させる動作である収納動作の制御を行う（Ｓ３１）。具体的には、ステップＳ３１において、制御部１７は、温度検出装置駆動部１３が有するモータをあらかじめ決められたステップ数回転させる。
【００３６】
制御部１７は、温度検出装置７を筐体２に収納させるためのステップ数である収納ステップ数に対応する量の温度検出装置７の移動が完了したか否かを判断する（Ｓ３２）。収納ステップ数は、上記の駆動ステップ数と同じである。制御部１７は、収納ステップ数に対応する量の温度検出装置７の移動が完了していないと判断した場合（Ｓ３２でＮｏ）、ステップＳ３１の動作を行う。制御部１７は、収納ステップ数に対応する量の温度検出装置７の移動が完了したと判断した場合（Ｓ３２でＹｅｓ）、筐体２から飛び出ている温度検出装置７を筐体２に収納させる動作を終了する。
【００３７】
次に、特殊運転のモードに関連する室内機１の動作を説明する。上述の通り、特殊運転のモードは、ファン９が停止しているときに温度検出装置７を筐体２の外部に位置させる動作を示す。例えば、特殊運転のモードは、夏期において室内機１に熱中症対策の運転を行わせる場合に設定される。図１１は、実施の形態１に係る空気調和機の室内機１が有する制御部１７が行う特殊運転のモードに関連する動作の手順を示すフローチャートである。
【００３８】
制御部１７は、ファン９が運転しているか否かを判断する（Ｓ４１）。制御部１７は、ファン９が停止していると判断した場合（Ｓ４１でＮｏ）、特殊運転のモードが設定されているか否かを判断する（Ｓ４２）。制御部１７は、特殊運転のモードが設定されていると判断した場合（Ｓ４２でＹｅｓ）、設定温度があらかじめ決められた温度以上であるか否かを判断する（Ｓ４３）。図１１のステップＳ４３では、設定温度があらかじめ決められた温度以上であるか否かを制御部１７が判断することは、「設定温度が一定温度以上？」と記載されている。あらかじめ決められた温度の例は、３０℃である。
【００３９】
制御部１７は、設定温度があらかじめ決められた温度以上であると判断した場合（Ｓ４３でＹｅｓ）、室内機１に熱中症対策の運転を行わせる（Ｓ４４）。ステップＳ４４の動作が行われることにより、比較的冷たい空気が部屋に供給される。これにより、熱中症対策の動作が実現される。
【００４０】
制御部１７は、ファン９が運転していると判断した場合（Ｓ４１でＹｅｓ）、特殊運転のモードが設定されていないと判断した場合（Ｓ４２でＮｏ）、及び、設定温度があらかじめ決められた温度より低いと判断した場合（Ｓ４３でＮｏ）、特殊運転のモードに関連する動作を終了する。
【００４１】
上述の通り、制御部１７は、ファン９が動作している場合、温度検出装置７を筐体２の内部に位置させる。制御部１７は、ファン９が停止している場合、ファン９が停止しているときに温度検出装置７を筐体２の外部に位置させる規則が設定されているとき、温度検出装置７を筐体２の外部に位置させる。制御部１７は、ファン９が停止している場合、上記の規則が設定されていないとき、温度検出装置７を筐体２の内部に位置させる。例えば、上記の規則は、室内機１が設置されている部屋に遠隔操作機器の操作が苦手な高齢者又は子供だけが居る場合に設定される。更に言うと、例えば、上記の規則は、節電対策及び熱中症対策のために設定される。
【００４２】
制御部１７は、ファン９が停止していて上記の規則が設定されている場合、温度検出装置７を筐体２の外部に位置させる。これにより、温度検出装置７は、ファン９の動作が停止している場合、熱交換器１０の輻射熱の影響を受けることなく、室内機１が設置される部屋の温度を比較的高い精度で検出することができる。すなわち、実施の形態１に係る空気調和機の室内機１は、ファン９の動作が停止しても比較的高い精度で温度を検出することができる。
【００４３】
温度検出装置７が部屋の温度を比較的高い精度で検出することができるので、制御部１７は、温度検出装置７によって検出された温度が熱中症対策のために冷房運転を行わせる温度以上である場合、冷房運転を行うように室内機１を適切に制御することができる。これにより、室内機１は熱中症対策で冷房運転を適切に行うことができる。
【００４４】
実施の形態２．
実施の形態１では、温度検出装置７は、筐体２の内部に位置することも、筐体２の外部に位置することもできる。実施の形態２では、温度検出装置７は、筐体２の外郭に位置していて、筐体２の外部に位置しない。具体的には、実施の形態２では、温度検出装置７は、筐体２の外郭のあらかじめ決められた場所に位置している。温度検出装置７は、熱交換器１０より吹き出し口４の側に位置している。実施の形態２では、実施の形態１との相違点を主に説明する。
【００４５】
実施の形態２に係る空気調和機の室内機は、温度検出装置７と、ファン９と、熱交換器１０とを有する。上述の通り、実施の形態２では、温度検出装置７は、筐体２の外郭に位置していて、筐体２の外部に位置しない。実施の形態２に係る室内機は、輻射熱の伝達を抑制する遮蔽部材と、遮蔽部材の位置を制御する制御部とを更に有する。遮蔽部材及び制御部の詳細については、後述する。
【００４６】
図１２は、実施の形態２に係る空気調和機の室内機が有する基板１１Ａの構成を示す図である。基板１１Ａは、実施の形態２に係る室内機が有する構成要素を制御するためのものであって、筐体２の内部に位置する。基板１１Ａは、実施の形態１の基板１１と同様に、ファン駆動部１２と、風向制御板駆動部１４と、受信部３とを有する。実施の形態２では、温度検出装置７は基板１１Ａに設けられている。
【００４７】
基板１１Ａは、実施の形態１の制御装置１５に代えて制御装置１５Ａを有する。制御装置１５Ａは、操作情報記憶部１６を有する。制御装置１５Ａは、実施の形態１の制御部１７に代えて制御部１７Ａを有する。制御部１７Ａは、制御部１７が有する複数の機能のうちの温度検出装置７の位置を変化させるための機能以外の機能を有する。制御装置１５Ａは、実施の形態１の駆動ステップ数記憶部１８に代えて駆動ステップ数記憶部１８Ａを有する。駆動ステップ数記憶部１８Ａの例は、半導体メモリである。
【００４８】
基板１１Ａは、遮蔽部材の位置を変化させるための遮蔽部材駆動部１９を更に有する。遮蔽部材駆動部１９は、遮蔽部材の位置を変化させるためのモータを有する。制御部１７Ａは、遮蔽部材駆動部１９を制御する機能を有する。
【００４９】
駆動ステップ数記憶部１８Ａは、遮蔽部材を熱交換器１０と温度検出装置７との間に位置する状態から温度検出装置７より吹き出し口４の側に位置する状態に変化させるための遮蔽部材駆動部１９が有するモータの回転数を示す情報を記憶する。以下では、遮蔽部材を熱交換器１０と温度検出装置７との間に位置する状態から温度検出装置７より吹き出し口４の側に位置する状態に変化させるためのモータの回転数は、「駆動ステップ数」と記載される。駆動ステップ数は、遮蔽部材を温度検出装置７より吹き出し口４の側に位置する状態から熱交換器１０と温度検出装置７との間に位置する状態に変化させるための遮蔽部材駆動部１９が有するモータの回転数でもある。以下では、モータの回転数は、「ステップ数」と記載される。
【００５０】
図１３は、実施の形態２に係る空気調和機の室内機が有する温度検出装置７、熱交換器１０及び遮蔽部材２０の各々の位置を説明するための第１の図である。図１３は、ファン９が停止している場合の温度検出装置７、熱交換器１０及び遮蔽部材２０の各々の位置を示している。図１３に示す通り、実施の形態２では、温度検出装置７は筐体２の外郭２１に位置している。図１３において、符号「Ｐ」は人を意味し、符号「Ｇ」は温度検出装置７を見ている人Ｐの視線を意味している。図１３に示す通り、ファン９が停止している場合、遮蔽部材２０は、温度検出装置７と熱交換器１０との間に位置している。遮蔽部材２０の例は、遮蔽フィルタである。
【００５１】
図１４は、実施の形態２に係る空気調和機の室内機が有する温度検出装置７、熱交換器１０及び遮蔽部材２０の各々の位置を説明するための第２の図である。図１４は、ファン９が運転している場合の温度検出装置７、熱交換器１０及び遮蔽部材２０の各々の位置を示している。図１４において、符号「Ｐ」は人を意味し、符号「Ｇ」は温度検出装置７を見ている人Ｐの視線を意味している。図１４に示す通り、ファン９が運転している場合、遮蔽部材２０は、温度検出装置７と熱交換器１０との間に位置していない。
【００５２】
図１３及び図１４から理解することができる通り、温度検出装置７は、遮蔽部材２０が熱交換器１０と温度検出装置７との間に位置していなければ熱交換器１０の輻射熱の影響を受ける場所に位置している。制御部１７Ａは、ファン９が停止している場合に熱交換器１０と温度検出装置７との間に遮蔽部材２０を位置させる。
【００５３】
図１５は、実施の形態２に係る空気調和機の室内機が有する温度検出装置７及び遮蔽部材２０の各々の位置の詳細を説明するための第１の図である。図１５は、ファン９が停止している場合の温度検出装置７及び遮蔽部材２０の各々の位置を示している。図１５に示す通り、ファン９が停止している場合、遮蔽部材２０は、温度検出装置７より筐体２の外郭２１から遠い場所に位置している。つまり、ファン９が停止している場合、遮蔽部材２０は、温度検出装置７より筐体２の内部に位置している。
【００５４】
図１６は、実施の形態２に係る空気調和機の室内機が有する温度検出装置７及び遮蔽部材２０の各々の位置の詳細を説明するための第２の図である。図１６は、ファン９が運転している場合の温度検出装置７及び遮蔽部材２０の各々の位置を示している。図１６に示す通り、ファン９が運転している場合、遮蔽部材２０は、温度検出装置７より筐体２の外郭２１に近い場所に位置している。つまり、ファン９が運転している場合、遮蔽部材２０は、温度検出装置７より筐体２の外部の側に位置している。図１６の矢印は、遮蔽部材駆動部１９が動作していることを示している。遮蔽部材駆動部１９が動作することにより、遮蔽部材２０は、温度検出装置７より筐体２の外郭２１に近い場所に位置する。
【００５５】
図１７は、実施の形態２に係る空気調和機の室内機が有する制御部１７Ａが行う遮蔽部材２０の位置を制御する動作の手順を示す第１のフローチャートである。図１７の第１のフローチャートは、遮蔽部材２０を、ファン９が停止している場合の場所からファン９が運転している場合の場所に移動させる際に制御部１７Ａが行う動作を示している。制御部１７は、遮蔽部材駆動部１９を動作させて遮蔽部材２０を移動させる（Ｓ５１）。具体的には、ステップＳ５１において、制御部１７Ａは、遮蔽部材駆動部１９が有するモータをあらかじめ決められたステップ数回転させる。
【００５６】
制御部１７Ａは、遮蔽部材２０をファン９が停止している場合の場所からファン９が運転している場合の場所に移動させるための駆動ステップ数に対応する量の遮蔽部材２０の移動が完了したか否かを判断する（Ｓ５２）。制御部１７Ａは、駆動ステップ数に対応する量の遮蔽部材２０の移動が完了していないと判断した場合（Ｓ５２でＮｏ）、ステップＳ５１の動作を行う。制御部１７Ａは、駆動ステップ数に対応する量の遮蔽部材２０の移動が完了したと判断した場合（Ｓ５２でＹｅｓ）、遮蔽部材２０を移動させる動作を終了する。
【００５７】
図１８は、実施の形態２に係る空気調和機の室内機が有する制御部１７Ａが行う遮蔽部材２０の位置を制御する動作の手順を示す第２のフローチャートである。制御部１７Ａは、ファン９が運転しているか否かを判断する（Ｓ６１）。制御部１７Ａは、ファン９が停止していると判断した場合（Ｓ６１でＮｏ）、特殊運転のモードが設定されているか否かを判断する（Ｓ６２）。
【００５８】
制御部１７Ａは、特殊運転のモードが設定されていると判断した場合（Ｓ６２でＹｅｓ）、ファン９が運転している場合に位置すべき場所に遮蔽部材２０が位置しているか否かを判断する（Ｓ６３）。図１８のステップＳ６３では、ファン９が運転している場合に位置すべき場所に遮蔽部材２０が位置しているか否かを判断することは、「遮蔽部材は運転状態の場所に位置しているか？」と記載されている。ファン９が運転している場合に遮蔽部材２０が位置すべき場所は、温度検出装置７より吹き出し口４の側の場所である。
【００５９】
制御部１７Ａは、ファン９が運転している場合に位置すべき場所に遮蔽部材２０が位置していると判断した場合（Ｓ６３でＹｅｓ）、遮蔽部材２０を、ファン９が停止している場合に位置すべき場所に位置させるために、停止位置への動作開始フラグを成立させる（Ｓ６４）。制御部１７Ａは、停止位置への動作開始フラグを成立させると、図１９のフローチャートに示す動作を行う。ファン９が停止している場合に遮蔽部材２０が位置すべき場所は、熱交換器１０と温度検出装置７との間の場所である。
【００６０】
制御部１７Ａは、ファン９が停止している場合に位置すべき場所に遮蔽部材２０が位置していると判断した場合（Ｓ６３でＮｏ）、遮蔽部材２０の位置を現状の通りに維持させる制御を行う（Ｓ６５）。制御部１７Ａは、ファン９が運転していると判断した場合（Ｓ６１でＹｅｓ）、ファン９が運転している場合に位置すべき場所に遮蔽部材２０が位置しているか否かを判断する（Ｓ６６）。図１８のステップＳ６６では、ファン９が運転している場合に位置すべき場所に遮蔽部材２０が位置しているか否かを判断することは、「遮蔽部材は運転状態の場所に位置しているか？」と記載されている。
【００６１】
制御部１７Ａは、ファン９が運転している場合に位置すべき場所に遮蔽部材２０が位置していると判断した場合（Ｓ６６でＹｅｓ）、遮蔽部材２０の位置を現状の通りに維持させる制御を行う（Ｓ６５）。
【００６２】
制御部１７は、ファン９が停止している場合に位置すべき場所に遮蔽部材２０が位置していると判断した場合（Ｓ６６でＮｏ）、遮蔽部材２０を、ファン９が運転している場合に位置すべき場所に位置させるために、運転位置への動作開始フラグを成立させる（Ｓ６７）。制御部１７Ａは、運転位置への動作開始フラグを成立させると、図２０のフローチャートに示す動作を行う。
【００６３】
制御部１７Ａは、特殊運転のモードが設定されていないと判断した場合（Ｓ６２でＮｏ）、ステップＳ６６の動作を行う。
【００６４】
図１９は、実施の形態２に係る空気調和機の室内機が有する制御部１７Ａが行う遮蔽部材２０の位置を制御する動作の手順を示す第３のフローチャートである。図１９のフローチャートは、ファン９が運転している場合に位置すべき場所に位置している遮蔽部材２０をファン９が停止している場合に位置すべき場所に移動させる際に制御部１７Ａが行う動作の手順を示している。制御部１７Ａは、遮蔽部材２０を移動させる（Ｓ７１）。具体的には、ステップＳ７１において、制御部１７Ａは、遮蔽部材駆動部１９が有するモータをあらかじめ決められたステップ数回転させる。
【００６５】
制御部１７Ａは、遮蔽部材２０を温度検出装置７より吹き出し口４の側に位置する状態から熱交換器１０と温度検出装置７との間に位置する状態に変化させるための駆動ステップ数に対応する量の遮蔽部材２０の移動が完了したか否かを判断する（Ｓ７２）。制御部１７Ａは、駆動ステップ数に対応する量の遮蔽部材２０の移動が完了していないと判断した場合（Ｓ７２でＮｏ）、ステップＳ７１の動作を行う。制御部１７Ａは、駆動ステップ数に対応する量の遮蔽部材２０の移動が完了したと判断した場合（Ｓ７２でＹｅｓ）、ファン９が運転している場合に位置すべき場所に位置している遮蔽部材２０をファン９が停止している場合に位置すべき場所に移動させる動作を終了する。
【００６６】
図２０は、実施の形態２に係る空気調和機の室内機が有する制御部１７Ａが行う遮蔽部材２０の位置を制御する動作の手順を示す第４のフローチャートである。図２０のフローチャートは、ファン９が停止している場合に位置すべき場所に位置している遮蔽部材２０をファン９が運転している場合に位置すべき場所に移動させる際に制御部１７Ａが行う動作の手順を示している。制御部１７Ａは、遮蔽部材２０を移動させる（Ｓ８１）。具体的には、ステップＳ８１において、制御部１７Ａは、遮蔽部材駆動部１９が有するモータをあらかじめ決められたステップ数回転させる。
【００６７】
制御部１７Ａは、遮蔽部材２０を熱交換器１０と温度検出装置７との間に位置する状態から温度検出装置７より吹き出し口４の側に位置する状態に変化させるための駆動ステップ数に対応する量の遮蔽部材２０の移動が完了したか否かを判断する（Ｓ８２）。制御部１７Ａは、駆動ステップ数に対応する量の遮蔽部材２０の移動が完了していないと判断した場合（Ｓ８２でＮｏ）、ステップＳ８１の動作を行う。制御部１７Ａは、駆動ステップ数に対応する量の遮蔽部材２０の移動が完了したと判断した場合（Ｓ８２でＹｅｓ）、ファン９が停止している場合に位置すべき場所に位置している遮蔽部材２０をファン９が運転している場合に位置すべき場所に移動させる動作を終了する。
【００６８】
上述の通り、制御部１７Ａは、ファン９が停止している場合、熱交換器１０と温度検出装置７との間に遮蔽部材２０を位置させる。これにより、温度検出装置７は、ファン９の動作が停止しているとき、熱交換器１０の輻射熱の影響を受けることなく、室内機が設置される部屋の温度を比較的高い精度で検出することができる。すなわち、実施の形態２に係る空気調和機の室内機は、ファン９の動作が停止しても比較的高い精度で温度を検出することができる。
【００６９】
実施の形態２では、温度検出装置７は筐体２の内部に位置していて筐体２の外部に飛び出ない。したがって、実施の形態２に係る空気調和機の室内機は、実施の形態１に係る空気調和機の室内機１より意匠性に優れている。
【００７０】
図２１は、実施の形態１に係る空気調和機の室内機１が有する受信部３、温度検出装置７、ファン駆動部１２、温度検出装置駆動部１３、風向制御板駆動部１４及び制御部１７の少なくとも一部の機能がプロセッサ９１によって実現される場合のプロセッサ９１を示す図である。つまり、受信部３、温度検出装置７、ファン駆動部１２、温度検出装置駆動部１３、風向制御板駆動部１４及び制御部１７の少なくとも一部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図２１には、メモリ９２も示されている。
【００７１】
受信部３、温度検出装置７、ファン駆動部１２、温度検出装置駆動部１３、風向制御板駆動部１４及び制御部１７の少なくとも一部の機能がプロセッサ９１によって実現される場合、当該少なくとも一部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、受信部３、温度検出装置７、ファン駆動部１２、温度検出装置駆動部１３、風向制御板駆動部１４及び制御部１７の少なくとも一部の機能を実現する。
【００７２】
受信部３、温度検出装置７、ファン駆動部１２、温度検出装置駆動部１３、風向制御板駆動部１４及び制御部１７の少なくとも一部の機能がプロセッサ９１によって実現される場合、室内機１は、受信部３、温度検出装置７、ファン駆動部１２、温度検出装置駆動部１３、風向制御板駆動部１４及び制御部１７によって実行されるステップの少なくとも一部が結果的に実行されることになるプログラムを格納するためのメモリ９２を有する。メモリ９２に格納されるプログラムは、受信部３、温度検出装置７、ファン駆動部１２、温度検出装置駆動部１３、風向制御板駆動部１４及び制御部１７が実行する手順又は方法の少なくとも一部をコンピュータに実行させるものであるともいえる。
【００７３】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００７４】
図２２は、実施の形態１に係る空気調和機の室内機１が有する受信部３、温度検出装置７、ファン駆動部１２、温度検出装置駆動部１３、風向制御板駆動部１４及び制御部１７の少なくとも一部が処理回路９３によって実現される場合の処理回路９３を示す図である。つまり、受信部３、温度検出装置７、ファン駆動部１２、温度検出装置駆動部１３、風向制御板駆動部１４及び制御部１７の少なくとも一部は、処理回路９３によって実現されてもよい。
【００７５】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００７６】
受信部３、温度検出装置７、ファン駆動部１２、温度検出装置駆動部１３、風向制御板駆動部１４及び制御部１７が有する複数の機能について、当該複数の機能の一部がソフトウェア又はファームウェアで実現され、当該複数の機能の残部が専用のハードウェアで実現されてもよい。このように、受信部３、温度検出装置７、ファン駆動部１２、温度検出装置駆動部１３、風向制御板駆動部１４及び制御部１７が有する複数の機能は、ハードウェア、ソフトウェア、ファームウェア、又はこれらの組み合わせによって実現することができる。
【００７７】
実施の形態２に係る空気調和機の室内機が有する受信部３、温度検出装置７、ファン駆動部１２、風向制御板駆動部１４、制御部１７Ａ及び遮蔽部材駆動部１９の少なくとも一部の機能は、メモリに格納されるプログラムを実行するプロセッサ９１によって実現されてもよい。当該メモリは、受信部３、温度検出装置７、ファン駆動部１２、風向制御板駆動部１４、制御部１７Ａ及び遮蔽部材駆動部１９によって実行されるステップの少なくとも一部が結果的に実行されることになるプログラムを格納するためのメモリである。受信部３、温度検出装置７、ファン駆動部１２、風向制御板駆動部１４、制御部１７Ａ及び遮蔽部材駆動部１９の少なくとも一部の機能は、処理回路によって実現されてもよい。当該処理回路は、処理回路９３と同様の処理回路である。
【００７８】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００７９】
１  空気調和機の室内機、２  筐体、３  受信部、４  吹き出し口、５  上下風向制御板、６  左右風向制御板、７  温度検出装置、８  吸い込み口、９  ファン、１０  熱交換器、１１，１１Ａ  基板、１２  ファン駆動部、１３  温度検出装置駆動部、１４  風向制御板駆動部、１５，１５Ａ  制御装置、１６  操作情報記憶部、１７，１７Ａ  制御部、１８，１８Ａ  駆動ステップ数記憶部、１９  遮蔽部材駆動部、２０  遮蔽部材、２１  外郭。
【図１】
2020188708.tif 000003
【図２】
2020188708.tif 000004
【図３】
2020188708.tif 000005
【図４】
2020188708.tif 000006
【図５】
2020188708.tif 000007
【図６】
2020188708.tif 000008
【図７】
2020188708.tif 000009
【図８】
2020188708.tif 000010
【図９】
2020188708.tif 000011
【図１０】
2020188708.tif 000012
【図１１】
2020188708.tif 000013
【図１２】
2020188708.tif 000014
【図１３】
2020188708.tif 000015
【図１４】
2020188708.tif 000016
【図１５】
2020188708.tif 000017
【図１６】
2020188708.tif 000018
【図１７】
2020188708.tif 000019
【図１８】
2020188708.tif 000020
【図１９】
2020188708.tif 000021
【図２０】
2020188708.tif 000022
【図２１】
2020188708.tif 000023
【図２２】
2020188708.tif 000024
【国際調査報告】
2020188708.tif 000025
2020188708.tif 000026
2020188708.tif 000027
2020188708.tif 000028